【手続補正書】
【提出日】令和1年6月26日(2019.6.26)
【手続補正１】
【補正対象書類名】特許請求の範囲
【補正対象項目名】全文
【補正方法】変更
【補正の内容】
【特許請求の範囲】
【請求項１】
物体側より像側へ順に配置された、正の屈折力の第１レンズ群、負の屈折力の第２レンズ群、正の屈折力の第３レンズ群、負の屈折力の第４レンズ群、正の屈折力の第５レンズ群から構成され、ズーミングに際して隣り合うレンズ群の間隔が変化するズームレンズにおいて、
広角端から望遠端へのズーミングに際し、前記第５レンズ群は物体側に移動した後に像側に移動し、
前記第１レンズ群は３枚以上の正レンズを有し、
前記第５レンズ群が最も物体側に位置するズーム位置における前記第５レンズ群の横倍率をβ５ｍ、前記第５レンズ群の望遠端における横倍率をβ５ｔとするとき、
３．０＜β５ｔ／β５ｍ＜８０．０
なる条件式を満足することを特徴とするズームレンズ。
【請求項２】
前記第５レンズ群は正レンズを有し、前記第５レンズ群に含まれる正レンズの材料のアッベ数をνｄ５ｐとするとき、前記第５レンズ群は、
６０．０＜νｄ５ｐ
なる条件式を満足する材料から構成される正レンズを含むことを特徴とする請求項１に記載のズームレンズ。
【請求項３】
前記第２レンズ群は正レンズと負レンズが接合された接合レンズを有し、前記接合レンズに含まれる正レンズの材料のアッベ数をνｄ２ｐ、前記接合レンズに含まれる負レンズの材料のアッベ数をνｄ２ｎとするとき、
１５．０＜νｄ２ｎ−νｄ２ｐ＜５０．０
なる条件式を満足することを特徴とする請求項１または２に記載のズームレンズ。
【請求項４】
前記第２レンズ群の焦点距離をｆ２、望遠端における全系の焦点距離をｆｔとするとき、
−０．１０＜ｆ２／ｆｔ＜−０．０３
なる条件式を満足することを特徴とする請求項１乃至３のいずれか１項に記載のズームレンズ。
【請求項５】
前記第３レンズ群の焦点距離をｆ３、広角端における全系の焦点距離をｆｗとするとき、
３．２＜ｆ３／ｆｗ＜６．０
なる条件式を満足することを特徴とする請求項１乃至４のいずれか１項に記載のズームレンズ。
【請求項６】
前記第３レンズ群は正レンズＧ３ｐと負レンズＧ３ｎを接合した、全体として正の屈折力の接合レンズＧ３ａを有し、
前記第４レンズ群は正レンズＧ４ｐと負レンズＧ４ｎを接合した、全体として負の屈折力の接合レンズＧ４ａを有し、
前記正レンズＧ３ｐの材料のアッベ数をνｄ３ｐ、前記正レンズＧ３ｐの材料の部分分散比をθｇＦ３ｐ、前記負レンズＧ３ｎの材料のアッベ数をνｄ３ｎ、前記負レンズＧ３ｎの材料の部分分散比をθｇＦ３ｎ、前記正レンズＧ４ｐの材料のアッベ数をνｄ４ｐ、前記正レンズＧ４ｐの材料の部分分散比をθｇＦ４ｐ、前記負レンズＧ４ｎの材料のアッベ数をνｄ４ｎ、前記負レンズＧ４ｎの材料の部分分散比をθｇＦ４ｎとし、
ｄθｇＦ３＝（θｇＦ３ｐ−θｇＦ３ｎ）／（νｄ３ｐ−νｄ３ｎ）
ｄθｇＦ４＝（θｇＦ４ｐ−θｇＦ４ｎ）／（νｄ４ｐ−νｄ４ｎ）
とするとき、
１．２＜ｄθｇＦ３／ｄθｇＦ４＜４．５
なる条件式を満足することを特徴とする請求項１乃至５のいずれか１項に記載のズームレンズ。
【請求項７】
広角端から望遠端へのズーミングに際して、前記第１レンズ群は像側へ移動した後に物体側へ移動し、前記第２レンズ群は像側へ移動し、前記第３レンズ群は物体側へ移動し、前記第４レンズ群は物体側へ移動した後に像側へ移動することを特徴とする請求項１乃至６のいずれか１項に記載のズームレンズ。
【請求項８】
前記第１レンズ群は物体側から像側へ順に配置された、負レンズ、正レンズ、正レンズ、正レンズからなることを特徴とする請求項１乃至７のいずれか１項に記載のズームレンズ。
【請求項９】
前記第１レンズ群の最も物体側に配置された負レンズと該負レンズの像側に隣接して配置された正レンズとは、接合レンズを構成していることを特徴とする請求項８に記載のズームレンズ。
【請求項１０】
前記第２レンズ群は、物体側から像側へ順に配置された、負レンズ、正レンズと負レンズを接合した接合レンズ、正レンズより構成されることを特徴とする請求項１乃至９のいずれか１項に記載のズームレンズ。
【請求項１１】
前記第３レンズ群は、物体側から像側へ順に配置された、正レンズ、正レンズと負レンズを接合した接合レンズより構成されることを特徴とする請求項１乃至１０のいずれか１項に記載のズームレンズ。
【請求項１２】
前記第４レンズ群は、物体側から像側へ順に配置された、負レンズと正レンズを接合した接合レンズ、正レンズより構成されることを特徴とする請求項１乃至１１のいずれか１項に記載のズームレンズ。
【請求項１３】
前記第５レンズ群は、正レンズと負レンズを接合した接合レンズより構成されることを特徴とする請求項１乃至１２のいずれか１項に記載のズームレンズ。
【請求項１４】
請求項１乃至１３のいずれか１項に記載のズームレンズと、該ズームレンズによって形成された像を受光する撮像素子を有することを特徴とする撮像装置。
【手続補正２】
【補正対象書類名】明細書
【補正対象項目名】０００９
【補正方法】変更
【補正の内容】
【０００９】
本発明のズームレンズは、物体側より像側へ順に配置された、正の屈折力の第１レンズ群、負の屈折力の第２レンズ群、正の屈折力の第３レンズ群、負の屈折力の第４レンズ群、正の屈折力の第５レンズ群から構成され、ズーミングに際して隣り合うレンズ群の間隔が変化するズームレンズにおいて、
広角端から望遠端へのズーミングに際し、前記第５レンズ群は物体側に移動した後に像側に移動し、
前記第１レンズ群は３枚以上の正レンズを有し、
前記第５レンズ群が最も物体側に位置するズーム位置における前記第５レンズ群の横倍率をβ５ｍ、前記第５レンズ群の望遠端における横倍率をβ５ｔとするとき、
３．０＜β５ｔ／β５ｍ＜８０．０
なる条件式を満足することを特徴としている。
【手続補正３】
【補正対象書類名】明細書
【補正対象項目名】００１２
【補正方法】変更
【補正の内容】
【００１２】
以下に、本発明の好ましい実施の形態を、添付の図面に基づいて説明する。本発明のズームレンズは、物体側より像側へ順に配置された、正の屈折力の第１レンズ群、負の屈折力の第２レンズ群、正の屈折力の第３レンズ群、負の屈折力の第４レンズ群、正の屈折力の第５レンズ群から構成されている。ズーミングに際して隣り合うレンズ群の間隔が変化する。広角端から望遠端へのズーミングに際し、第５レンズ群は物体側に移動した後に像側に移動する。
【手続補正４】
【補正対象書類名】明細書
【補正対象項目名】００４０
【補正方法】変更
【補正の内容】
【００４０】
各実施例において、第１レンズ群Ｌ１は物体側から像側へ順に配置された、負レンズと正レンズを接合した接合レンズ、正レンズ、正レンズから構成される。即ち、第１レンズ群Ｌ１は物体側から像側へ順に配置された、負レンズ、正レンズ、正レンズ、正レンズからなる。第２レンズ群Ｌ２は物体側から像側へ順に配置された、負レンズ、正レンズと負レンズを接合した接合レンズ、正レンズより構成される。第３レンズ群Ｌ３は物体側から像側へ順に配置された、正レンズ、正レンズと負レンズを接合した接合レンズより構成される。第４レンズ群Ｌ４は物体側から像側へ順に配置された、負レンズと正レンズを接合した接合レンズ、正レンズより構成される。第５レンズ群Ｌ５は正レンズと負レンズを接合した接合レンズより構成される。